(57)【要約】【課題】関連情報の表示態様の制御に幅を持たせる。【解決手段】撮像装置１００であって、被写体を撮像して画像フレームを生成する電子撮像部２と、電子撮像部２により生成された画像フレームと、当該装置における所定の状態又は所定の処理と関連付けられた関連情報とを表示する表示部８と、現在の日時を特定する特定処理や、特定処理により特定された現在の日時に基づいて、表示部８に表示される関連情報の表示態様を変化させる表示制御処理を行うＣＰＵ１５と、を備える。【選択図】図１
2010087557.tif 000002
【特許請求の範囲】
【請求項１】
撮像して画像を生成する撮像手段と、
前記撮像手段により生成された前記画像と、当該装置における所定の状態又は所定の処理と関連付けられた関連情報とを表示する表示手段と、
現在の日時を特定する特定手段と、
前記特定手段により特定された前記現在の日時に基づいて、前記表示手段に表示される前記関連情報の表示態様を変化させる表示制御手段と、
を備えることを特徴とする撮像装置。
【請求項２】
前記関連情報の表示態様の変化時期を登録する登録手段を備え、
前記登録手段に登録されている前記変化時期に、前記特定手段により特定された前記現在の日時が含まれているか否かを判定する日時判定手段と、を更に備え、
前記表示制御手段は、前記日時判定手段によって前記現在の日時が含まれていると判定された場合に、前記関連情報の表示態様を変化させることを特徴とする請求項１に記載の撮像装置。
【請求項３】
前記登録手段は、人物を特定するための顔画像に係る顔画像情報と、前記関連情報の表示態様の変化時期とを対応付けて登録し、
前記撮像手段により生成された前記画像から顔を検出する顔検出手段と、
前記顔検出手段により検出された顔と前記登録手段に登録されている顔画像情報とを照合して、前記人物の顔が前記顔検出手段により検出されたか否かを判定する検出判定手段と、
前記検出判定手段によって顔が検出されたと判定された人物の顔画像情報と対応付けて前記登録手段に登録されている前記変化時期に、前記特定手段により特定された前記現在の日時が含まれているか否かを判定する日時判定手段と、を更に備え、
前記表示制御手段は、前記日時判定手段によって前記現在の日時が含まれていると判定された場合に、前記関連情報の表示態様を変化させることを特徴とする請求項２に記載の撮像装置。
【請求項４】
前記登録手段は、一のグループを構成する複数の人物に係る複数の前記顔画像情報と、当該グループと対応付けて前記変化時期とを登録し、
前記検出判定手段は、前記顔検出手段により検出された顔と前記登録手段に登録されている顔画像情報とを照合して、前記一のグループを構成する複数の人物全ての顔が前記顔検出手段により検出されたか否かを判定し、
前記日時判定手段は、前記検出判定手段によって前記複数の人物全ての顔が検出されたと判定された前記一のグループと対応付けて前記登録手段に登録されている前記変化時期に、前記特定手段により特定された前記現在の日時が含まれているか否かを判定し、
前記表示制御手段は、前記日時判定手段によって前記現在の日時が含まれていると判定された場合に、前記関連情報の表示態様を変化させることを特徴とする請求項３に記載の撮像装置。
【請求項５】
前記登録手段は、更に前記表示制御手段によって前記関連情報の表示を変化させる際の、変化態様を示す情報を前記変化時期と対応付けて登録し、
前記表示制御手段は、前記登録手段に登録されている変化態様を示す情報に基づいて、前記関連情報の表示態様を変化させることを特徴とする請求項１〜４の何れか一項に記載の撮像装置。
【請求項６】
被写体を撮像して画像を生成する撮像手段と、前記撮像手段により生成された前記画像と、所定の処理と関連付けられた関連情報とを表示する表示手段と、を備える撮像装置に、
現在の日時を特定するステップと、
前記特定された現在の日時に基づいて、前記表示手段に表示される前記関連情報を示す表示の表示態様を変化させる表示制御ステップと、
を実行させることを特徴とする撮像方法。
【請求項７】
被写体を撮像して画像フレームを生成する撮像手段と、前記撮像手段により生成された前記画像フレームと、所定の処理と関連付けられた関連情報とを表示する表示手段と、を備える撮像装置のコンピュータを、
現在の日時を特定する特定手段、
前記特定手段により特定された前記現在の日時に基づいて、前記表示手段に表示される前記関連情報の表示態様を変化させる表示制御手段、
として機能させることを特徴とするプログラム。
【発明の詳細な説明】
【技術分野】
【０００１】
本発明は、撮像装置、撮像方法及びプログラムに関する。
【背景技術】
【０００２】
従来、撮像装置として、ＡＦ枠の回転、置換、伸縮、移動等を行って当該ＡＦ枠の表示態様を変化させるものが知られている（例えば、特許文献１参照）。また、複数のＡＦ方式を有し、ＡＦ方式に応じてＡＦ枠の表示態様を変化させるものも知られている。
【特許文献１】特開２００８−３３３５号公報
【発明の開示】
【発明が解決しようとする課題】
【０００３】
しかしながら、特許文献１に記載の撮像装置では、簡単なキー操作等に基づいて、或いは、識別認識された被写体の形状に基づいてＡＦ枠の表示態様を変化させることしかできなかった。また、複数のＡＦ方式を有する撮像装置にあっても、同様に、選択したＡＦ方式に応じてＡＦ枠の表示態様を変化させることしかできなかった。
このように、従来の撮像装置にあっては、上記した以外の条件ではＡＦ枠の表示態様を変化させることができず、ＡＦ枠等の処理に対応した表示や、電池残量等の装置の状態に対応した表示の表示態様の制御に幅を持たせることができなかった。
【０００４】
本発明の課題は、関連情報の表示態様の制御に幅を持たせることができる撮像装置、撮像方法及びプログラムを提供することである。
【課題を解決するための手段】
【０００５】
上記課題を解決するため、請求項１に記載の発明の撮像装置は、
撮像して画像を生成する撮像手段と、前記撮像手段により生成された前記画像と、当該装置における所定の状態又は所定の処理と関連付けられた関連情報とを表示する表示手段と、現在の日時を特定する特定手段と、前記特定手段により特定された前記現在の日時に基づいて、前記表示手段に表示される前記関連情報の表示態様を変化させる表示制御手段と、を備えることを特徴としている。
【０００６】
請求項２に記載の発明は、請求項１に記載の撮像装置において、
前記関連情報の表示態様の変化時期を登録する登録手段を備え、前記登録手段に登録されている前記変化時期に、前記特定手段により特定された前記現在の日時が含まれているか否かを判定する日時判定手段と、を更に備え、前記表示制御手段は、前記日時判定手段によって前記現在の日時が含まれていると判定された場合に、前記関連情報の表示態様を変化させることを特徴としている。
【０００７】
請求項３に記載の発明は、請求項２に記載の撮像装置において、
前記登録手段は、人物を特定するための顔画像に係る顔画像情報と、前記関連情報の表示態様の変化時期とを対応付けて登録し、前記撮像手段により生成された前記画像から顔を検出する顔検出手段と、前記顔検出手段により検出された顔と前記登録手段に登録されている顔画像情報とを照合して、前記人物の顔が前記顔検出手段により検出されたか否かを判定する検出判定手段と、前記検出判定手段によって顔が検出されたと判定された人物の顔画像情報と対応付けて前記登録手段に登録されている前記変化時期に、前記特定手段により特定された前記現在の日時が含まれているか否かを判定する日時判定手段と、を更に備え、前記表示制御手段は、前記日時判定手段によって前記現在の日時が含まれていると判定された場合に、前記関連情報の表示態様を変化させることを特徴としている。
【０００８】
請求項４に記載の発明は、請求項１に記載の撮像装置において、
前記登録手段は、一のグループを構成する複数の人物に係る複数の前記顔画像情報と、当該グループと対応付けて前記変化時期とを登録し、前記検出判定手段は、前記顔検出手段により検出された顔と前記登録手段に登録されている顔画像情報とを照合して、前記一のグループを構成する複数の人物全ての顔が前記顔検出手段により検出されたか否かを判定し、前記日時判定手段は、前記検出判定手段によって前記複数の人物全ての顔が検出されたと判定された前記一のグループと対応付けて前記登録手段に登録されている前記変化時期に、前記特定手段により特定された前記現在の日時が含まれているか否かを判定し、前記表示制御手段は、前記日時判定手段によって前記現在の日時が含まれていると判定された場合に、前記関連情報の表示態様を変化させることを特徴としている。
【０００９】
請求項５に記載の発明は、請求項１〜４の何れか一項に記載の撮像装置において、
前記登録手段は、更に前記表示制御手段によって前記関連情報の表示を変化させる際の、変化態様を示す情報を前記変化時期と対応付けて登録し、前記表示制御手段は、前記登録手段に登録されている変化態様を示す情報に基づいて、前記関連情報の表示態様を変化させることを特徴としている。
【００１０】
請求項６に記載の撮像方法は、
被写体を撮像して画像を生成する撮像手段と、前記撮像手段により生成された前記画像と、所定の処理と関連付けられた関連情報とを表示する表示手段と、を備える撮像装置に、現在の日時を特定するステップと、前記特定された現在の日時に基づいて、前記表示手段に表示される前記関連情報を示す表示の表示態様を変化させる表示制御ステップと、を実行させることを特徴としている。
【００１１】
請求項７に記載のプログラムは、
被写体を撮像して画像フレームを生成する撮像手段と、前記撮像手段により生成された前記画像フレームと、所定の処理と関連付けられた関連情報とを表示する表示手段と、を備える撮像装置のコンピュータを、現在の日時を特定する特定手段、前記特定手段により特定された前記現在の日時に基づいて、前記表示手段に表示される前記関連情報の表示態様を変化させる表示制御手段、として機能させることを特徴としている。
【発明の効果】
【００１２】
本発明によれば、現在の日時に基づいて、所定の状態又は所定の処理と関連付けられた関連情報の表示態様を変化させることができ、当該関連情報の表示態様の制御に幅を持たせることができる。
【発明を実施するための最良の形態】
【００１３】
以下に、本発明について、図面を用いて具体的な態様を説明する。ただし、発明の範囲は、図示例に限定されない。
図１は、本発明を適用した一実施形態の撮像装置１００の概略構成を示すブロック図である。また、図２は、撮像装置１００のテーブル記憶部１３に記憶されている変化時期テーブルＴの一例を模式的に示す図である。
【００１４】
本実施形態の撮像装置１００は、現在の日時に基づいて、表示部７に表示される関連情報の表示態様を変化させる。
具体的には、図１に示すように、撮像装置１００は、撮像レンズ部１と、電子撮像部２と、撮像処理部３と、画像処理部４と、記録媒体５と、計時部６と、表示部７と、表示処理部８と、操作入力部９と、顔検出部１０と、顔認識部１１と、データメモリ１２と、テーブル記憶部１３と、プログラムメモリ１４と、ＣＰＵ１５とを備えている。
【００１５】
撮像レンズ部１は、複数のレンズから構成され、ズームレンズ１ａやフォーカスレンズ１ｂ等を備えている。また、撮像レンズ部１は、被写体の撮像の際に、ズームレンズ１ａを光軸方向に移動させるズーム駆動部１ｃ、フォーカスレンズ１ｂを光軸方向に移動させる合焦駆動部１ｄ等を備えている。
【００１６】
電子撮像部２は、撮像手段として、被写体を撮像して画像フレームを生成する。また、電子撮像部２は、撮像レンズ部１の複数のレンズを通過した被写体像を二次元の画像信号に変換するＣＣＤ（Charge Coupled Device）やＣＭＯＳ（Complementary Metal-oxide Semiconductor）等から構成されている。
【００１７】
撮像処理部３は、図示は省略するが、タイミング発生器、垂直ドライバなどを備えている。そして、撮像処理部３は、タイミング発生器、垂直ドライバにより電子撮像部２を走査駆動させて、所定周期毎に被写体像を電子撮像部２により二次元の画像信号に変換させて、当該電子撮像部２の撮像領域から１画面分ずつ画像フレームを読み出して、画像処理部４に出力させる。
【００１８】
また、撮影時にライブビュー画像表示を行う場合には、撮像処理部３は、電子撮像部２により被写体を所定の撮像フレームレートで連続して撮像させて、ライブビュー画像表示用の画像フレームを逐次生成させる。
【００１９】
また、撮像処理部３は、ＡＥ（自動露出処理）、ＡＦ（自動合焦処理）、ＡＷＢ（自動ホワイトバランス）の制御などを行う。
【００２０】
画像処理部４は、撮像処理部３から転送された画像フレームに基づいて、画質調整処理や解像度変換処理や画像圧縮処理等を行って表示用画像データや記録用画像データを生成する。具体的には、画像処理部４は、撮像処理部３から転送された画像フレームのアナログ値の信号に対してＲＧＢの各色成分毎に適宜ゲイン調整した後に、サンプルホールド回路でサンプルホールドして、Ａ／Ｄ変換器でデジタルデータに変換して、カラープロセス回路で画素補間処理及びγ補正処理を含むカラープロセス処理を行った後、デジタル値の輝度信号Ｙ及び色差信号Ｃｂ，Ｃｒを生成する。
カラープロセス回路から出力される輝度信号Ｙ及び色差信号Ｃｂ，Ｃｒは、図示しないＤＭＡコントローラを介して、バッファメモリとして使用されるデータメモリ１２にＤＭＡ転送される。
【００２１】
記録媒体５は、例えば、不揮発性メモリ（フラッシュメモリ）等により構成され、画像処理部４のＪＰＥＧ圧縮部（図示略）により符号化された本撮影画像の記録用画像データを記憶する。
【００２２】
計時部６は、図示は省略するが、タイマーや計時回路等を備えて構成され、時刻や日付を計時して計時データをＣＰＵ１５に出力する。
【００２３】
表示処理部８は、データメモリ１２に一時的に記憶されている表示用データを読み出して表示部７に表示させる制御を行う。具体的には、表示処理部８は、ＶＲＡＭ、ＶＲＡＭコントローラ、デジタルビデオエンコーダなどを備えている。そして、デジタルビデオエンコーダは、ＣＰＵ１５の制御下にてデータメモリ１２から読み出されてＶＲＡＭ（図示略）に記憶されている輝度信号Ｙ及び色差信号Ｃｂ，Ｃｒを、ＶＲＡＭコントローラを介してＶＲＡＭから定期的に読み出して、これらのデータを元にビデオ信号を発生して表示部７に出力する。
【００２４】
表示部７は、表示手段として、表示処理部８からのビデオ信号に基づいて、電子撮像部２により撮像された画像や、自動合焦処理に係るＡＦ枠等の関連情報を表示画面に表示する。具体的には、表示部７は、電子撮像部２による被写体の撮像により生成された複数の画像フレームに基づいてライブビュー画像を表示するとともに、当該ライブビュー画像に重畳させて所定の関連情報を表示する。
ここで、関連情報は、所定の処理と関連付けられた関連情報であれば任意であり、この関連情報としては、ＡＦ枠、ストロボのＯＮ／ＯＦＦに係るストロボマーク、ズーム倍率に係るズームインジケータ、電池残量を示す電池残量マーク等が挙げられる。
【００２５】
操作入力部９は、当該撮像装置１００の所定操作を行うためのものであり、被写体の撮影指示に係るシャッターボタン９ａ、機能選択や表示設定等に係るメニュー画面の表示指示に係るメニューボタン９ｂ、動作モード等の選択や決定指示に係る選択決定ボタン９ｃ、ズーム量の調整指示に係るズームボタン９ｄ等を備え、これらのボタンの操作に応じて所定の操作信号をＣＰＵ１５に出力する。
【００２６】
顔検出部１０は、ＣＰＵ１５の制御下にて、電子撮像部２により生成された画像フレームから所定の顔検出方法を用いて顔を検出する。具体的には、顔検出部１０は、撮像処理部３から転送された画像フレーム内の全ての肌色領域を検出し、その検出した各領域内に目、鼻、口等に相当する特徴部分（顔パーツ）があるか否かを判定して、顔パーツがあると判定すれば当該肌色領域を顔部分とみなす。これにより、顔検出部１０は、画像フレーム内の全ての顔を検出する。
ここで、ＣＰＵ１５及び顔検出部１０は、顔検出手段を構成している。
【００２７】
顔認識部１１は、ＣＰＵ１５の制御下にて、顔検出部１０により検出された顔とテーブル記憶部１３の変化時期テーブルＴに登録されている顔画像データとを照合して、変化時期テーブルＴに顔画像データが登録されている人物の顔が検出されたか否かを判定する。具体的には、顔認識部１１は、変化時期テーブルＴに登録されている顔画像データから顔の特徴データを抽出するとともに、顔検出部１０により検出された顔から当該顔の特徴データを抽出し、これらの特徴データの差分が所定の閾値以下であるか否かを判定する。そして、これらの特徴データの差分が所定の閾値以下である場合に、変化時期テーブルＴに顔画像データが登録されている人物と、顔検出部１０により顔が検出された人とが同一であると判断して、変化時期テーブルＴに顔画像データが登録されている人物の顔が顔検出部１０により検出されたと判定する。
ここで、ＣＰＵ１５及び顔認識部１１は、検出判定手段を構成している。
【００２８】
ＣＰＵ１５は、撮像装置１００の各部を制御するものである。具体的には、ＣＰＵ１５は、プログラムメモリ１４に記憶された撮像装置１００用の各種処理プログラムに従って各種の制御動作を行うものである。
【００２９】
データメモリ１２は、例えば、フラッシュメモリ等により構成され、ＣＰＵ１５によって処理されるデータ等を一時記憶する。
【００３０】
テーブル記憶部１３は、例えば、図１に示すように、関連情報の表示態様の変化時期を記憶する変化時期テーブルＴを記憶している。
具体的には、例えば、図２に示すように、変化時期テーブルＴは、変化時期として「１月１日〜１月３日」と、イベント「正月三が日」と、ＡＦ枠の合焦適正時の表示態様として「台の上にのった鏡餅」の画像及び合焦不適正時の表示態様として「鏡餅がのっていない台のみ」の画像等とを対応付けて記憶している。
なお、変化時期は、正月三が日の他に、例えば、バレンタインデー、クリスマス（クリスマスイブを含んでも含まなくても良い）、国民の祝日等のイベントに対応する時期（日付又は期間）であっても良いし、所定の時刻間（例えば２１時から２３時の間など）であっても良い。これらの変化時期は、例えば、当該変化時期に対応するイベントや、当該イベントに対応するアイコン等とともに、変化時期テーブルＴに予め記憶されていることとする。
ここで、変化時期テーブルＴは、関連情報の表示態様の変化時期を記憶する記憶手段を構成している。
【００３１】
また、変化時期テーブルＴは、登録手段として、人物を特定するための顔画像に係る顔画像データと、関連情報の表示態様の変化時期とを対応付けて登録している。
具体的には、変化時期テーブルＴは、例えば、顔画像データとして人物Ａの顔画像データである「顔画像データＡ」と、変化時期として人物Ａの誕生日である「４月１日」と、イベント「誕生日」と、ＡＦ枠の合焦適正時の表示態様として「皿の上にのった誕生日ケーキ」の画像及び合焦不適正時の表示態様として「誕生日ケーキがのっていない皿のみ」の画像等とを対応付けて記憶している。また、変化時期テーブルＴは、顔画像データとして人物Ｂの顔画像データである「顔画像データＢ」と、変化時期として人物Ｂの誕生日である「１０月１日」と、イベント「誕生日」と、ＡＦ枠の合焦適正時の表示態様として「皿の上にのった誕生日ケーキ」の画像及び合焦不適正時の表示態様として「誕生日ケーキがのっていない皿のみ」の画像等とを対応付けて記憶している。
【００３２】
また、変化時期テーブルＴは、一のグループを構成する複数の人物に係る複数の顔画像データと、関連情報の表示態様の変化時期とを対応付けて登録している。
具体的には、変化時期テーブルＴは、例えば、顔画像データとして夫婦を構成する人物Ａ及び人物Ｂ各々の顔画像データである「顔画像データＡ」及び「顔画像データＢ」と、変化時期として当該夫婦の結婚記念日である「７月１日」と、イベント「結婚記念日」と、ＡＦ枠の合焦適正時の表示態様として「花が咲いている花束」の画像及び合焦不適正時の表示態様として「花が咲いていない花束」の画像等とを対応付けて記憶している。
【００３３】
プログラムメモリ１４は、ＣＰＵ１５の動作に必要な各種プログラムやデータを記憶している。
このプログラムは、後述する登録処理ルーチン、特定処理ルーチン、顔検出処理ルーチン、検出判定処理ルーチン、日時判定処理ルーチン、合焦制御処理ルーチン、合焦状態判定処理ルーチン、表示制御処理ルーチンを含む。
ここでいうルーチンとは、コンピュータのプログラムの部分をなし、ある機能をもった一連の命令群のことである。
【００３４】
登録処理ルーチンは、顔画像データや変化時期等を対応付けて変化時期テーブルＴに登録させる登録処理に係る機能をＣＰＵ１５に実現させるための命令群を含む。
具体的には、登録処理ルーチンにより、ＣＰＵ１５は、ユーザによる操作入力部９の所定操作に基づいて、記録媒体５等に記憶された記録用画像データの中から顔認識された顔画像データや、変化時期や、データメモリ１２等に記憶されたイベントやアイコン等の中から選択されたものをそれぞれ変化時期テーブルＴに登録させる。
【００３５】
特定処理ルーチンは、現在の日時を特定する特定処理に係る機能をＣＰＵ１５に実現させるための命令群を含む。
具体的には、特定処理ルーチンにより、ＣＰＵ１５は、計時部６から出力され入力された計時データに基づいて現在の日時を特定する。
ここで、ＣＰＵ１５及び計時部６は、特定手段を構成している。
【００３６】
顔検出処理ルーチンは、電子撮像部２により生成された画像フレームから顔を顔検出部１０に検出させる顔検出処理に係る機能をＣＰＵ１５に実現させるための命令群を含む。
【００３７】
検出判定処理ルーチンは、顔検出部１０により検出された顔と変化時期テーブルＴに登録されている顔画像データとを照合し、変化時期テーブルＴに顔画像データが登録されている人物の顔が顔検出部１０により検出されたか否かを顔認識部１１に判定させる検出判定処理に係る機能をＣＰＵ１５に実現させるための命令群を含む。
【００３８】
日時判定処理ルーチンは、ＣＰＵ１５を日時判定手段として機能させるためのプログラム部分である。即ち、日時判定処理ルーチンは、検出判定処理によって顔が検出されたと判定された場合に、当該顔が検出されたと判定された人物の顔画像データと対応付けて変化時期テーブルＴに登録されている変化時期に、特定処理により特定された現在の日時が含まれているか否かを判定する日時判定処理に係る機能をＣＰＵ１５に実現させるための命令群を含む。
また、日時判定処理ルーチンは、検出判定処理によって顔が検出されなかったと判定された場合に、変化時期テーブルＴ中の顔画像データが対応付けられていない変化時期に、特定処理により特定された現在の日時が含まれているか否かを判定する日時判定処理に係る機能をＣＰＵ１５に実現させるための命令群を含む。
【００３９】
合焦制御処理ルーチンは、被写体の撮影の際のフォーカスレンズ１ｂの合焦位置を調整する自動合焦処理に係る機能をＣＰＵ１５に実現させるための命令群を含む。
具体的には、合焦制御処理ルーチンにより、ＣＰＵ１５は、撮像処理部３の制御下にて電子撮像部２により生成された画像フレームを取得して、当該画像フレームにおける自動合焦処理の判定に係るＡＦ枠内（合焦判定領域）の画像にピントが合うように、合焦駆動部１ｄによりフォーカスレンズ１ｂを光軸方向に移動させてコントラストＡＦ方式により合焦位置を調整する自動合焦処理を行う。
ここで、ＣＰＵ１５、電子撮像部２、撮像処理部３及び合焦駆動部１ｄは、合焦制御手段を構成している。
【００４０】
合焦状態判定処理ルーチンは、ＣＰＵ１５を合焦状態判定手段として機能させるためのプログラム部分である。即ち、合焦状態判定処理ルーチンは、自動合焦処理の状態を判定する合焦状態判定処理に係る機能をＣＰＵ１５に実現させるための命令群を含む。
具体的には、合焦状態判定処理ルーチンにより、ＣＰＵ１５は、電子撮像部２により生成された画像フレームにおける自動合焦処理の判定に係るＡＦ枠内の画像にピントが合っているか否かを判定する。
【００４１】
表示制御処理ルーチンは、電子撮像部２により生成された画像フレームと、関連情報とを表示部７に表示させる表示制御処理に係る機能をＣＰＵ１５に実現させるための命令群を含む。
具体的には、表示制御処理ルーチンにより、ＣＰＵ１５は、電子撮像部２により繰り返し生成される画像フレームを逐次更新しながら表示部７に表示されるライブビュー画像に重畳させて表示される関連情報の表示態様を、特定処理により特定された現在の日時に基づいて変化させる。
【００４２】
より具体的には、日時判定処理によって現在の日時が含まれていると判定された場合に、ＣＰＵ１５は、その現在の日時を含む変化時期と対応付けて変化時期テーブルＴに記憶されているイベントを読み取り、当該イベントに対応する表示態様で関連情報を表示させる。
例えば、図２によれば、ＣＰＵ１５は、顔検出部１０によって人物Ａの顔が検出され、かつ、現在の日時が「４月１日」である場合、表示部７に表示するＡＦ枠を、通常のＡＦ枠（例えば、矩形状の枠）から、「皿の上にのった誕生日ケーキ」又は「誕生日ケーキがのっていない皿のみ」のアイコン画像に変化させる。
また、図２によれば、ＣＰＵ１５は、顔検出部１０によって人物Ａの顔も人物Ｂの顔も検出されず、かつ、現在の日時が「１月１日〜１月３日」の何れかである場合、表示部７に表示するＡＦ枠を、通常のＡＦ枠（例えば、矩形状の枠）から、「台の上にのった鏡餅」又は「鏡餅がのっていない台のみ」のアイコン画像に変化させる。
【００４３】
ここで、ＣＰＵ１５は、合焦状態判定処理により自動合焦処理が適正に行われている（ＡＦ枠内の画像にピントが合っている）と判定された場合、合焦適正時の表示態様でアイコン画像を表示し、合焦状態判定処理により自動合焦処理が適正に行われていない（ＡＦ枠内の画像にピントが合っていない）と判定された場合、合焦不適正時の表示態様でアイコン画像を表示する。即ち、ＣＰＵ１５は、自動合焦処理の状態に応じて、アイコンの表示態様を変化させるようになっている。
ここで、ＣＰＵ１５及び表示処理部８は、表示制御手段を構成している。
【００４４】
次に、撮像装置１００による登録処理について図３を参照して説明する。
図３は、登録処理に係る動作の一例を示すフローチャートである。
【００４５】
先ず、登録処理ルーチンにより、ＣＰＵ１５は、記録媒体５等に記憶された記録用画像データのうち、ユーザによる操作入力部９の操作により指定された顔画像データをテーブル記憶部１３の変化時期テーブルＴに登録させる（ステップＳ１１）。
続けて、ＣＰＵ１５は、ステップＳ１１で登録した顔画像データと対応付けて、ユーザによる操作入力部９の操作により入力された変化時期を変化時期テーブルＴに登録させる（ステップＳ１２）。
次に、ＣＰＵ１５は、ステップＳ１１で登録した顔画像データと対応付けて、ユーザによる操作入力部９の操作により選択されたイベントを変化時期テーブルＴに登録させる（ステップＳ１３）。
その後、ＣＰＵ１５は、ステップＳ１１で登録した顔画像データと対応付けて、ユーザによる操作入力部９の操作により選択された表示態様（アイコン）を変化時期テーブルＴに登録させる（ステップＳ１４）。
これにより、登録処理を終了する。
【００４６】
次に、撮像装置１００による撮像処理について図４及び図５を参照して説明する。
図４及び図５は、撮像処理に係る動作の一例を示すフローチャートである。
【００４７】
先ず、ＣＰＵ１５は、表示制御処理ルーチンにより、電子撮像部２により生成された画像フレームに基づくライブビュー画像を表示部７に表示させる（ステップＳ２１）。この際、ＣＰＵ１５は、ライブビュー画像に重畳させて、通常の表示態様で関連情報を表示させる。
【００４８】
次に、顔検出処理ルーチンにより、ＣＰＵ１５は、顔検出部１０に、電子撮像部２により生成された画像フレームから顔を検出させ、当該顔検出処理により顔を検出すると（ステップＳ２２）、ＣＰＵ１５は、特定処理ルーチンにより、現在の日時を特定する（ステップＳ２３）。
【００４９】
その後、ＣＰＵ１５は、検出判定処理ルーチンにより、当該検出された顔と、変化時期テーブルＴに登録されている顔画像データとを照合して、顔画像データが登録されている人物の顔が検出されたか否かを顔認識部１１に判定させる（ステップＳ２４）。
ここで、顔画像データが登録されている人物の顔が検出されたと判定されると（ステップＳ２４；Ｙｅｓ）、ＣＰＵ１５は、当該顔が検出されたと判定された人物の顔画像データと対応付けて変化時期テーブルＴに登録されている変化時期を読み出す（ステップＳ２５）。
【００５０】
続けて、ＣＰＵ１５は、日時判定処理ルーチンにより、当該変化時期に現在の日時が含まれているか否かを判定する（ステップＳ２６）。
ここで、変化時期に現在の日時が含まれていると判定されると（ステップＳ２６；Ｙｅｓ）、ＣＰＵ１５は、当該現在の日時が含まれると判定された変化時期と対応付けて変化時期テーブルＴに登録されているイベントを読み出し（ステップＳ２７）、表示制御処理ルーチンにより、表示部７に現に表示されている関連情報の表示態様を、読み出したイベントに対応する表示態様（例えば、アイコン画像）に変更する（ステップＳ２８）。具体的には、ＣＰＵ１５は、自動合焦処理が適正に行われていると判定された場合には、ステップＳ２７で読み出したイベントと対応付けて変化時期テーブルＴに登録されている合焦適正時の表示態様で合焦適正時のＡＦ枠に対応する関連情報を表示させる一方で、自動合焦処理が適正に行われていないと判定された場合には、ステップＳ２７で読み出したイベントと対応付けて変化時期テーブルＴに登録されている合焦不適正時の表示態様で合焦不適正時のＡＦ枠に対応する関連情報を表示させる。
【００５１】
また、ステップＳ２４で、顔画像データが登録されている人物の顔が検出されていないと判定すると（ステップＳ２４；Ｎｏ）、ＣＰＵ１５は、変化時期テーブルＴから顔画像データが対応付けられていない変化時期を読み出す（ステップＳ２９）。また、ステップＳ２６にて、変化時期に現在の日時が含まれていないと判定された場合にも（ステップＳ２６；Ｎｏ）、ＣＰＵ１５は、ステップＳ２９の処理に移行させる。
【００５２】
続けて、ＣＰＵ１５は、日時判定処理ルーチンにより、当該変化時期に現在の日時が含まれているか否かを判定する（ステップＳ３０）。
ここで、変化時期に現在の日時が含まれていると判定されると（ステップＳ３０；Ｙｅｓ）、ＣＰＵ１５は、当該現在の日時が含まれると判定された変化時期と対応付けて変化時期テーブルＴに登録されているイベントを読み出し（ステップＳ３１）、表示制御処理ルーチンにより、表示部７に現に表示されている関連情報の表示態様を、読み出したイベントに対応する表示態様（例えば、アイコン画像）に変更する（ステップＳ３２）。具体的には、ＣＰＵ１５は、自動合焦処理が適正に行われていると判定された場合には、ステップＳ３１で読み出したイベントと対応付けて変化時期テーブルＴに登録されている合焦適正時の表示態様で合焦適正時のＡＦ枠に対応する関連情報を表示させる一方で、自動合焦処理が適正に行われていないと判定された場合には、ステップＳ３１で読み出したイベントと対応付けて変化時期テーブルＴに登録されている合焦不適正時の表示態様で合焦不適正時のＡＦ枠に対応する関連情報を表示させる。
【００５３】
以上のように、本実施形態の撮像装置１００によれば、現在の日時を特定して、当該現在の日時に基づいて、表示部７にライブビュー画像に重畳表示されるＡＦ枠等の関連情報の表示態様を変化させることができる。具体的には、顔検出部１０により検出された顔と変化時期テーブルＴに登録されている顔画像データとを照合して、変化時期テーブルＴに顔画像データが登録されている人物の顔が顔検出部１０により検出されたか否かを判定する。そして、顔が検出されたと判定された人物の顔画像データと対応付けて変化時期テーブルＴに登録されている変化時期に、現在の日時が含まれているか否かを判定して、現在の日時が含まれていると判定された場合に、関連情報の表示態様を変化させることができる。
従って、顔が検出された人物のイベントを考慮して、自動合焦処理等の所定の処理や当該装置の所定の状態と関連付けられた関連情報の表示態様を変化させることができ、関連情報の表示態様の制御に幅を持たせることができる。
【００５４】
また、変化時期テーブルＴに記憶されている変化時期に現在の日時が含まれているか否かを判定して、現在の日時が含まれていると判定された場合に、関連情報の表示態様を変化させることができる。
従って、各人物のイベントだけでなく、祝日等のイベントも考慮して関連情報の表示態様を変化させることができ、関連情報の表示態様の制御に幅を持たせることができる。
【００５５】
さらに、本実施形態の撮像装置１００によれば、自動合焦処理の状態を判定して、当該自動合焦処理の状態に応じてＡＦ枠に対応する関連情報の表示態様を変化させることができる。
従って、自動合焦処理の状態を把握することができるため、ユーザにとって使い勝手の良い撮像装置１００を提供することができる。
【００５６】
なお、本発明は、上記実施形態に限定されることなく、本発明の趣旨を逸脱しない範囲において、種々の改良並びに設計の変更を行っても良い。
例えば、上記実施形態にあっては、関連情報の表示態様の変化を各人物のイベントを考慮して行うようにしたが、これに限られるものではなく、複数の人物で構成されるグループのイベントを考慮して行うようにしても良い。
この構成について、以下の変形例１に詳細に説明する。
【００５７】
＜変形例１＞
以下に、変形例１の撮像装置について図６を参照して説明する。
なお、変形例１の撮像装置は、グループのイベントも考慮して関連情報の表示態様を変化させる以外の点で、上記実施形態の撮像装置１００と略同様の構成をなしている。具体的には、プログラムメモリ１４に記憶された検出判定処理ルーチン、日時判定処理ルーチン及び表示制御処理ルーチンの構成のみが異なるため、その異なる箇所のみについて説明する。
【００５８】
検出判定処理ルーチンは、さらに、顔検出部１０により検出された顔と変化時期テーブルＴに登録されている顔画像データとを照合し、変化時期テーブルＴに顔画像データが登録されている一のグループを構成する複数の人物全ての顔が顔検出部１０により検出されたか否かを顔認識部１１に判定させる検出判定処理に係る機能をＣＰＵ１５に実現させるための命令群を含む。
【００５９】
日時判定処理ルーチンは、さらに、検出判定処理によって複数の人物全ての顔が検出されたと判定された場合に、当該複数の人物全ての顔が検出されたと判定されたグループと対応付けて変化時期テーブルＴに登録されている変化時期に、特定処理により特定された現在の日時が含まれているか否かを判定する日時判定処理に係る機能をＣＰＵ１５に実現させるための命令群を含む。
【００６０】
表示制御処理ルーチンは、さらに、一のグループを構成する複数の人物に係る複数の顔画像データと対応付けて変化時期テーブルＴに登録されている変化時期に現在の日時が含まれ、かつ、当該一のグループを構成する複数の人物全ての顔が検出された際に、関連情報の表示態様を変化させる表示制御処理に係る機能をＣＰＵ１５に実現させるための命令群を含む。
例えば、図２によれば、ＣＰＵ１５は、顔検出部１０によって人物Ａの顔及び人物Ｂの顔が検出され、かつ、現在の日時が「７月１日」である場合、表示部７に表示するＡＦ枠を、通常のＡＦ枠（例えば、矩形状の枠）から「花が咲いている花束」又は「花が咲いていない花束」の画像に変化させて表示する。
【００６１】
次に、変形例１の撮像装置による撮像処理について図６を参照して説明する。
図６は、撮像処理に係る動作の一例を示すフローチャートである。
なお、ステップＳ４１〜ステップＳ４４の処理は、上記実施形態のステップＳ２１〜ステップＳ２４の処理と略同一であるため、その説明は省略する。
【００６２】
即ち、ステップＳ４４にて、変化時期テーブルＴに顔画像データが登録されている人物の顔が検出されたと判定されると（ステップＳ４４；Ｙｅｓ）、ＣＰＵ１５は、検出された人物に応じて処理を分岐させる（ステップＳ４５）。
【００６３】
具体的には、ステップＳ４４にて、人物Ａの顔が検出されて、人物Ｂの顔が検出されなかった場合には（ステップＳ４５；人物Ａのみ）、ＣＰＵ１５は、人物Ａの顔画像データと対応付けて変化時期テーブルＴに登録されている変化時期（例えば、４月１日；図２参照）を読み出した後（ステップＳ４６）、ステップＳ４９の処理に移行させる。
また、ステップＳ４４にて、人物Ｂの顔が検出されて、人物Ａの顔が検出されなかった場合には（ステップＳ４５；人物Ｂのみ）、ＣＰＵ１５は、人物Ｂの顔画像データと対応付けて変化時期テーブルＴに登録されている変化時期（例えば、１０月１日；図２参照）を読み出した後（ステップＳ４７）、ステップＳ４９の処理に移行させる。
また、ステップＳ４４にて、人物Ａと人物Ｂの両方の顔が検出された場合には（ステップＳ４５；人物Ａ及びＢ）、ＣＰＵ１５は、人物Ａと人物Ｂの両方の顔画像データと対応付けて変化時期テーブルＴに登録されている変化時期（例えば、７月１日；図２参照）を読み出した後（ステップＳ４８）、ステップＳ４９の処理に移行させる。
【００６４】
続けて、ＣＰＵ１５は、上記実施形態と同様に、日時判定処理ルーチンにより、当該変化時期に現在の日時が含まれているか否かを判定する（ステップＳ４９）。
ここで、変化時期に現在の日時が含まれていると判定されると（ステップＳ４９；Ｙｅｓ）、ＣＰＵ１５は、当該現在の日時が含まれると判定された変化時期と対応付けて変化時期テーブルＴに登録されているイベントを読み出し（ステップＳ５０）、表示制御処理ルーチンにより、表示部７に現に表示されている関連情報の表示態様を、読み出したイベントに対応する表示態様に変更する（ステップＳ５１）。
【００６５】
以上のように、変形例１の撮像装置によれば、顔検出部１０により検出された顔と変化時期テーブルＴに登録されている顔画像データとを照合して、変化時期テーブルＴに顔画像データが登録されている一のグループを構成する複数の人物全ての顔が顔検出部１０により検出されたか否かを判定する。そして、複数の人物全ての顔が検出されたと判定されたグループと対応付けて変化時期テーブルＴに登録されている変化時期に、現在の日時が含まれているか否かを判定して、現在の日時が含まれていると判定された場合に、関連情報の表示態様を変化させることができる。
つまり、各人物のイベントだけでなく、複数の人物で構成されるグループのイベントも考慮して関連情報の表示態様を変化させることができ、関連情報の表示態様の制御に幅を持たせることができる。
【００６６】
また、変化時期テーブルＴに記憶されているイベントや表示態様は、図２に例示したものは一例であり、これに限られるものではない。
即ち、変化時期テーブルＴには、関連情報として、ＡＦ枠のみを図示しているが、ＡＦ枠のアイコンの他に、ストロボのＯＮ／ＯＦＦに係るストロボマーク、ズーム倍率に係るズームインジケータ、電池残量を示す電池残量マーク等も記憶されていても良い。かかる場合、現在の日時に基づいてＡＦ枠の表示態様を変化させるだけでなく、ストロボマークの表示態様、ズームインジケータの表示態様、電池残量マークの表示態様等も変化させるようにしても良い。
【００６７】
また、変化時期テーブルＴに登録される顔画像情報は、顔画像データに限られるものではなく、人物を特定するための顔画像に係る情報であれば任意であり、顔の特徴データ等であっても良い。
【００６８】
また、上記実施形態及び上記変形例１にあっては、ユーザにより選択されたアイコンを関連情報として変化時期テーブルＴに登録するようにしたが、これに限られるものではなく、ユーザによりイベントが選択されると、ＣＰＵ１５が、予めデータメモリ１２等に記憶されたアイコンの中から、選択されたイベントに対応するアイコンを自動的に取得して、変化時期テーブルＴに関連情報として登録する構成であっても良い。
【００６９】
また、上記実施形態及び上記変形例１にあっては、変化時期テーブルＴに記憶されている表示態様で関連情報を表示する際のみ、自動合焦処理の状態に応じて、関連情報の表示態様を変化させるようにしたが、これに限られるものではなく、通常の表示態様で関連情報を表示する際も、自動合焦処理の状態に応じて、関連情報の表示態様を変化させるようにしても良い。
【００７０】
また、変化時期テーブルＴにイベントを記憶させるようしたが、変化時期と、当該変化時期に表示される関連情報とが対応付けられるのであれば、必ずしもイベントを記憶させる必要はない。
【００７１】
また、上記実施形態及び上記変形例１にあっては、顔画像データが登録された人物の顔を検出した場合に、当該顔画像データと対応付けられている変化時期を読み出すようにしたが、先ず、登録されている変化時期に現在の日時が含まれているか否かを判定し、現在の日時が登録されている変化時期であると判定された場合に、当該変化時期と対応付けて登録されている顔画像データを読み出し、検出された人物の顔が読み出した顔画像データの人物であるか否かを判定するようにしても良い。
【００７２】
また、撮像装置１００の構成は、上記実施形態に例示したものは一例であり、これに限られるものではない。
さらに、上記実施形態及び変形例１にあっては、特定手段、表示制御手段、顔検出手段、検出判定手段、日時判定手段、合焦制御手段、合焦状態判定手段としての機能を、ＣＰＵ１５によって所定のプログラム等が実行されることにより実現される構成としたが、これに限られるものではなく、各種機能を実現するためのロジック回路等から構成しても良い。
【図面の簡単な説明】
【００７３】
【図１】本発明を適用した一実施形態の撮像装置の概略構成を示すブロック図である。
【図２】図１の撮像装置のテーブル記憶部に記憶される変化時期テーブルの一例を模式的に示す図である。
【図３】図１の撮像装置による登録処理に係る動作の一例を示すフローチャートである。
【図４】図１の撮像装置による撮像処理に係る動作の一例を示すフローチャートである。
【図５】図４の撮像処理の続きを示すフローチャートである。
【図６】変形例１の撮像装置による撮像処理に係る動作の一例を示すフローチャートである。
【符号の説明】
【００７４】
１００  撮像装置
１      撮像レンズ部
１ｄ    合焦駆動部
２      電子撮像部
３      撮像処理部
６      計時部
７      表示部
８      表示処理部
１０    顔検出部
１１    顔認識部
１５    ＣＰＵ
Ｔ      変化時期テーブル
【図１】
2010087557.tif 000003
【図２】
2010087557.tif 000004
【図３】
2010087557.tif 000005
【図４】
2010087557.tif 000006
【図５】
2010087557.tif 000007
【図６】
2010087557.tif 000008